(57)【要約】  シャドウマスク３を支持するために設計された内部磁気スクリーン６０及びフレーム４０を含む陰極線管。スクリーンはスクリーンの周辺の縁６１から切り抜いたタブ６３によってフレームと接合されており、タブは、スクリーンと接するフレームのフランジ４１の表面に形成された開口部６２に挿入される。このタイプの留めは、追加部品を省くこと及びスクリーンをフレームに接合することを自動化することを可能にさせる。
2007504605.tif 000002
【特許請求の範囲】
【請求項１】
陰極線管であって、
顕著に長方形な長方形フレーム及び内部磁気スクリーンを構成する第２フレームによって支持されているマスクを含む色選別装置から構成される第１組立体、及び
前記長方形フレームに磁気スクリーンを取り付ける手段を有し、
前記手段は、単一のタブが、少なくとも第１組立体および第２組立体の組立体のうち一方と一体となっており、他方の組立体に作られた開口部に挿入できるようになっていることを特徴とする陰極線管。
【請求項２】
前記タブが、フレームに接する磁気スクリーンの周辺の縁から切り抜かれることを特徴とする請求項１記載の陰極線管。
【請求項３】
前記接合手段が、前記開口部に挿入されるよう設計された、少なくとも二つのタブを有することを特徴とする請求項１記載の陰極線管。
【請求項４】
前記タブが、土台より幅広い自由な先端を有することを特徴とする請求項１記載の陰極線管。
【請求項５】
前記タブが、磁気スクリーンと接するフレームのフランジから切り抜かれることを特徴とする請求項４記載の陰極線管。
【請求項６】
前記磁気スクリーンが、請求項１乃至５のうちいずれか一項の手段によってフレームの各側面に接合されることを特徴とする陰極線管。
【発明の詳細な説明】
【技術分野】
【０００１】
本発明は、著しく平らなスクリーンを有するカラー陰極線管に関する。より詳細には、そのようなカラー陰極線管を備えた色選別フレーム／マスク組立体に関する。
【０００２】
本発明は、色選別マスクを含む如何なる種類の管においても見いだすことのできる出願であり、さらにはスタンピングすることによって実現されるマスクを有する管や堅いフレームによって接合され、引っ張られ固定されているマスクを有する管にも適用できる。
【背景技術】
【０００３】
従来の陰極線管は、真空度の下にガラス外囲器を含んでいる。外囲器内には、管のガラスのフロントフェースから特定の離れた距離に配置された色選別マスクを含む。そのフロントフェースは、発光スクリーンを構成するため、赤、緑、青の発光団ネットワークが敷かれている。電子銃が管の後方に管の縦軸方向に従って、備え付けられている。前記軸がフロントフェースの中央部を通るようになっており、前記電子銃は３つの電子光線を前記フロントフェース方向に向けて放出する。通常、管の外部及び電子銃の近辺に設置される電磁偏光装置は、発光団ネットワークが配列されているパネルの表面上を電子光線が一掃するように電子光線を偏位させる機能を有している。決められた原色に対応した各電子光線の影響下では、発光団ネットワークはスクリーンにカラー映像を再生させることができ、マスクによって、各決められた光線の発光団が対応する色のみを発光させる。
【０００４】
管の動作において、色選別マスクは、管の特定の位置に配列及び維持されていなければならない。マスク支援機能は、マスクが通常溶接されている一般的に非常に堅い長方形の金属フレームによって実現される。
【０００５】
フレーム／マスク組立部は、フレームに溶接されたサスペンション手段によってフロントフェースに取り付けられ、管のフロントフェースを構成するガラスに挿入された突起と共働する。
【０００６】
管は地磁界の要素の影響にさらされ、それによって、電子銃から放出される電子ビームの軌道が影響を受ける。管の相対位置によって、この影響が強くなる場合があり、スクリーンに再生される画像の脱色までをも引き起こす。地磁界によって初期の軌道から偏位した電子ビームは、各決められた光線の発光団と一致しない発光団を発光させる。
【０００７】
この現象を防ぐために、標準的な習慣として、スチール又はモリパーマロイから構成される磁気スクリーンが使用され、例えば、電子銃とスクリーンの間の電子ビームの軌道を保護するため、管の後ろ側の内部又は外部に配置される。
【０００８】
内部磁気スクリーンは大抵、密閉される前のガラスから構成される前部分と後部分の間に配置される。磁気スクリーンは、互いに結合している複数の金属部から構成されていても良く、磁気スクリーン自体もフレームの最先細部分に永久的に、例えば溶接、又はリベットを使用して、又は他の付加的な部品、例えばクリップ等を使って可動式方法で結合することもできる。
【０００９】
リベットや溶接を使用した接合には、フレームやスクリーンを構成する部分を再利用できないこと、及びこれらの部分と関係のある問題が生じた場合に不都合が生じる。さらに、追加的な金属部品、例えばクリップ等を使用することは部品代がかかり、労務を必要とし、操作を自動化するのが困難である。
【発明の開示】
【発明が解決しようとする課題】
【００１０】
本発明の目的は、磁気スクリーンの組立及び分解を追加部品の使用せずに行うことである。
【課題を解決するための手段】
【００１１】
このためには、本発明に従った陰極線管は：
フレーム及び内部磁気スクリーンを含む第２フレームによって支持されているマスクを含む色選別装置から構成される第１組立体、及び
フレームに磁気スクリーンを取り付ける手段を有し、
前記手段は、単一のタブが少なくとも、第１および第２の組立体のうちいずれか一方と一体となっており、他方の組立体に作られた開口部に挿入できるようになっていることを特徴とする。
【発明を実施するための最良の形態】
【００１２】
本発明及び本発明のその他の利点は以下の説明及び図面によってより理解できる。
【００１３】
図１は断面図という手段でカラー陰極線管の構造を示している。このような管１は、スチール又はインバールのシートをスタンピングすることによって曲面を実現させたシャドウマスク３を有するフレーム／マスク組立部を含んでいる。その曲面は、管のガラスフロントフェース１ｂに配置された発光スクリーン１ａから離れた特定の距離に配置されている。マスクは堅いフレーム４によって保持されており、このフレームは、縦軸Ｚに顕著に平行になるようフレーム内で伸びるよう折り曲げられた周辺のフランジのレベルで溶接によって接合されている。フレームは、長方形で、側部が少なくとも部分的にＬ字型の横断面を有し、側面４２が縦軸方向に伸び、フランジ４１は顕著にこの側面に対して垂直になっている。フランジ４１及び側面はスクリーンから最も離れた側面の内端２６のレベルで相互接続されている。
【００１４】
管は、色選別マスク３の方向に向かって３つの電子ビームを放出する電子銃２が配置されている円筒型のネック１ｄを終端に備えたファンネル１ｃの形を有する端部を有する。端部１ｃの周辺に配置された磁気偏向装置の影響下のもと、電子ビームは、スクリーン１ａの表面を一掃する。
【００１５】
地磁界の要素の影響から電子銃２から放出されるビームの軌道を保護するため、フレーム／マスク組立部の後に磁気スクリーン６が配置されている。スクリーンは、フランジ４１に押し付けられた縁６１のある最先細部分で終わっている。
【００１６】
図２は、フレームにスクリーンを取り付ける手段の例を示している。フランジ４１及び縁６１は、互いに反対に位置するように開口部が設計されている。折り曲げられた両端７１及び７２が、スプリングの効果によってスクリーンの縁をフランジに押し付け保持するように付属スプリング７がスクリーン及びマスクを交差する。
【００１７】
この付属の方法は、費用がかかり、このタイプの複数のスプリングがスクリーンの周辺に配置されなければならず、これらの取り付けの配置には、手が届くのが困難であるということを操作者が考慮しなければならないということが介入してくる。
【実施例１】
【００１８】
図３Ａによって示されている実施例では、本発明６０に従った磁気スクリーンは、顕著に周辺が長方形な縁６１、タブ６３を形成する少なくとも一部分の顕著に長方形な切り込み部分、タブが周辺の縁と一体となって残るように完全には切り取っていない部分とを含む。タブ６３は、縁の表面に垂直になるように折り曲げられ、そしてタブと一致するよう配置されたフレーム４０の側部の開口部６２に挿入できるようになっている。タブが開口部６２に挿入されるとき、タブはスクリーンとフレームを接合するよう折り曲げられている。
【００１９】
図３Ｂによって示されている実施例では、二つのタブ６３及び６３’は、自由な先端が対照的になるように切り抜かれている。これらの二つのスクリーンの縁６１の表面に対して９０度に折り曲げられたタブは、フレームのフランジ４１と一致するように形成された開口部６２に挿入される。そのタブはフレームに対して保持するように、磁気スクリーンに向かって互いに反対方向に折り曲げられる。この装置は、単一のタブよりもより良い支持を提供できる。
【実施例２】
【００２０】
図４Ａによって示されている実施例では、支持タブがフレーム４０のフランジ４１から切り抜かれている。ここでは、タブの形がフレームの表面に繋がっている土台７５に対して自由な先端が幅広くなっている。よってタブは、例えばＴの字型になっており、タブの自由な先端がＴの上部の棒になっている。タブは、フレームの表面に対して顕著に垂直になるように折り曲げられ、磁気スクリーンの縁６１の表面に作られた開口スロット７２に挿入される。図４Ｂに示すように、タブの先端７４は、その土台７５を回転され、フレーム４０に縁６１を固定するよう位置付けられる。フレームのフランジを構成する部材の厚みが、フランジの表面に明確にスクリーンを保持するための適切な堅さの締め具を与える。
【００２１】
本発明に従って、フレーム／磁気スクリーン組立体の４面の各面に、少なくとも単一の締めるシステムを優先的にアレンジすることが可能である。
【００２２】
ここで説明されている実施例は、限定的ではなく、タブはフレームの一部又は内部の磁気スクリーンの一部であってもよい。
【００２３】
加えて、フレームにスクリーンを留めるこの装置は、追加付属部品を抑えることができるので、経済的である。タブを折り曲げることしか実施されないため、この留めを自動化することは簡単に可能である。ロボットによって簡単に実施できる操作である。
【図面の簡単な説明】
【００２４】
【図１】従来技術に従った陰極線管の断面図である。
【図２】従来技術に従ったフレームに内部磁気スクリーンを取り付ける手段の具体的な図である。
【図３Ａ】本発明の第１実施例の複数の異なる例を示している。
【図３Ｂ】本発明の第１実施例の複数の異なる例を示している。
【図４Ａ】本発明の第２の実施例を示している。
【図４Ｂ】本発明の第２の実施例を示している。
【図１】
2007504605.tif 000003
【図２】
2007504605.tif 000004
【図３Ａ】
2007504605.tif 000005
【図３Ｂ】
2007504605.tif 000006
【図４Ａ】
2007504605.tif 000007
【図４Ｂ】
2007504605.tif 000008
【国際調査報告】
2007504605.tif 000009
2007504605.tif 000010
2007504605.tif 000011
2007504605.tif 000012
2007504605.tif 000013
2007504605.tif 000014